(57)【特許請求の範囲】
【請求項１】
ＤＶＤオーディオ再生装置であって、
ＤＶＤオーディオ・ディスクから読み出されたオーディオ・トラック情報及びオーディオ・スティル・ビデオ（ＡＳＶ）情報を受け取り、オーディオ・トラック情報をオーディオ情報及びリアルタイム情報に分離するとともに、ＡＳＶ情報をスティル・ピクチャ情報、サブピクチャ情報及びハイライト情報に分離する分離手段と、
分離手段によってオーディオ・トラック情報から分離されたオーディオ情報及びリアルタイム情報をそれぞれ分離された状態で格納するオーディオ入力バッファと、
分離手段によってＡＳＶ情報から分離されたスティル・ピクチャ情報、サブピクチャ情報及びハイライト情報をそれぞれ分離された状態で格納するＡＳＶバッファと、
オーディオ入力バッファから読み出されたオーディオ情報及びリアルタイム情報をそれぞれデコードするデコーダと、ＡＳＶバッファから読み出されたスティル・ピクチャ情報、サブピクチャ情報及びハイライト情報をそれぞれデコードするデコーダとからなるデコーダ群と、
ＤＶＤオーディオ・ディスクに記憶された制御情報を読み出して、再生すべきオーディオ・トラックに対応するオーディオ・スティル・ビデオ・ユニット（ＡＳＶＵ）が存在するか否かを検出し、存在する場合に、ＡＳＶＵをＤＶＤオーディオ・ディスクから読み出して分離手段に提供し、次いで、オーディオ・トラック情報をＤＶＤオーディオ・ディスクから読み出して分離手段に提供するように制御する全体制御手段と、
分離された状態で格納されたスティル・ピクチャ情報、サブピクチャ情報及びハイライト情報の記憶アドレスを保持するアドレス・テーブルを備え、オーディオ・トラックのオーディオ情報を再生するときに、対応するスティル・ピクチャ情報、サブピクチャ情報及びハイライト情報の記憶アドレスをアドレス・テーブルから検索し、該検索された記憶アドレスからそれぞれスティル・ピクチャ情報、サブピクチャ情報及びハイライト情報を読み出してそれぞれに対応するデコーダに供給するＡＳＶ再生制御手段と
を備えていることを特徴とするＤＶＤオーディオ再生装置。
【発明の詳細な説明】
【０００１】
【発明の属する技術分野】
本発明は、ＤＶＤ（Digital Versatile Disc）の再生装置に関し、更に詳しくは、ＡＳＶ（Audio Still Video）を従来とは異なる方法で管理しているＤＶＤオーディオ再生装置に関する。
【０００２】
【従来の技術】
ディジタル動画像信号とディジタル・オーディオ信号等を光ディスクに記録するためのＤＶＤ規格が、ＤＶＤフォーラムによって提唱されている。ＤＶＤフォーラムとは、ＤＶＤ規格に従ったハードウェアおよびソフトウェアを提供することを意図し、その目的のために集合した内外の企業群である。ＤＶＤ規格は、読み出し専用ディスクの物理構造を規定するパート１、読み出し専用ディスクの論理構造とファイルシステムとを規定するパート２、パート１とパート２との内容に従って定義された光ディスクにディジタル動画像信号とそれに付随するディジタル・オーディオ信号等を記録するフォーマットを規定するパート３などから構成される。パート３は、通常、ＤＶＤビデオ規格と称される。ＤＶＤビデオ規格に基づく読み出し専用光ディスクと再生機器とは、既に、製造・販売が行われている。
【０００３】
しかし、現行のＤＶＤビデオ規格において用いられているオーディオ規格によって得られる音声では、オーディオ・データの圧縮・解凍の際に音質の劣化が生じているので、更に上質な音声を提供できる規格が求められていた。これに応えて、現在、ＤＶＤフォーラム内では、現行の規格に基づく場合よりも高品質な音声を提供するディジタル・オーディオおよびマルチチャンネル・オーディオ情報を、現行のものと同じ光ディスク媒体上に記録するフォーマットを規定する新たなＤＶＤ規格が、提唱されている。これは、ＤＶＤオーディオ規格と称される。
【０００４】
ＤＶＤオーディオ規格によると、主たるオーディオ情報のフォーマットが定義されているだけでなく、更に、この主たるオーディオ情報に付随して、静止画や文字等から成る補助情報であるオーディオ・スティル・ビデオ（ＡＳＶ）情報を記録することができる。ＡＳＶ情報は、スティル・ピクチャと呼ばれるＭＰＥＧ圧縮された静止画と、サブピクチャと呼ばれるビットマップによる静止画と、サブピクチャをユーザ操作用メニュー画面やボタンとして機能させるためのハイライト情報との３種類のデータを含む。従って、ＡＳＶ情報を再生する際の最小単位であるＡＳＶは、図１に示すように、スティル・ピクチャ、サブピクチャ、ハイライトの３種類のパケットの組み合わせから構成される。
【０００５】
ＡＳＶ再生機能を有する（この機能を有するかどうかはオプショナルである）ＤＶＤオーディオ・ディスクの再生装置は、主たるオーディオ情報の再生に同期して、規格で定められた同期タイミングでＡＳＶ情報を再生する機構を設ける必要がある。各ＡＳＶの再生時には、ＡＳＶ内に含まれるこれら３種類の情報を合成した画像をディスプレイに表示する。
【０００６】
図２には、ＡＳＶの１再生単位を再生した例が示されている。この場合、スティル・ピクチャの自然画像（山の絵）の上に、サブピクチャによる「次へ」および「前へ」という操作ボタンが配置されており、この画面上の操作ボタンはハイライト情報によって特定のユーザ操作（例えば、リモコン上の特定のボタン）と結びつけられ、ユーザが操作を行った場合に画面上の操作ボタンの色を変化させることができる。
【０００７】
ＤＶＤオーディオ・ディスクの中にはオーディオ情報が曲目ごとにトラックとして記録される。各オーディオ・トラックは、そのトラックに対応する複数のＡＳＶを持つことができる。特定のオーディオ・トラックと対応するＡＳＶ群をＡＳＶＵ（Audio Still Video Unit）と呼ぶ。ＤＶＤオーディオの規格では、ＡＳＶＵのサイズは、最大２ＭＢと定められている。
【０００８】
図３に、オーディオ・トラックとＡＳＶＵとの対応の例が示されている。各ＡＳＶＵは、それぞれが、特定のオーディオ・トラック番号と対応付けられ、オーディオ・トラックの再生時には、該当トラックに対応するＡＳＶＵ内の各ＡＳＶを、指定したタイミングで再生することが要求される。この様子が、図４に示されている。
【０００９】
ＡＳＶＵ内の各ＡＳＶを再生する順番と再生タイミングとをディスク製造者があらかじめ指定し、手順をディスク内に記録しておくことができる。その場合、再生装置は、上記手順をあらかじめメモリに読み込み、その手順に従ってＡＳＶを再生する。また、ユーザの操作によって各ＡＳＶの再生タイミングを決定することも可能である。この場合は、ユーザの操作に従ってＡＳＶを再生する。
【００１０】
このようなＡＳＶの再生に対応するためには、ＡＳＶＵ内に含まれるすべてのＡＳＶを管理し、任意のＡＳＶを任意のタイミングで再生する機能が必要である。ＤＶＤオーディオ・ディスクにおいては、ディスク内のすべてのＡＳＶの記録位置が、ディスクの内のアドレス・テーブルとして記録される。ＡＳＶ再生装置はこのアドレス・テーブルを参照して必要なＡＳＶにアクセスを行う。
【００１１】
次に、図５には、ＤＶＤオーディオ・ディスク内で、オーディオ・トラックとＡＳＶ情報とが、物理的に異なる位置に配置されている様子が示されている。オーディオ・トラック上の主たるオーディオ情報とそれとは物理的に離れたＡＳＶ情報との両者を同期させて同時再生するために、ＤＶＤオーディオ規格では、オーディオ・トラック再生時には、そのトラックに対応するＡＳＶＵを先行して読み出し、メモリに保持しておくよう定めている。これにより、オーディオ・トラックをディスクから連続的に読み出しながら再生し、同時に、ＡＳＶ情報をメモリから読み出して同期再生することができる。
【００１２】
ＤＶＤオーディオ規格では、上述の条件を満たしながら主たるオーディオ情報とＡＳＶＵ情報とを同期させて再生するための１つのモデルとして、システム・ターゲット・デコーダを提示している。図６には、このシステム・ターゲット・デコーダ・モデルが示されている。
【００１３】
ＤＶＤオーディオ・ディスク６０１から読み出されたデータは、エラー訂正／復調部６０２において、ＤＶＤフォーマットに基づくデータ復調とエラー訂正が行われる。オーディオ・トラックの再生前に、当該トラックに対応するＡＳＶＵ領域をディスクから読み出し、その領域内の全ＡＳＶデータをＡＳＶＵバッファ６０３に格納する。
【００１４】
その後で、オーディオ・トラックの再生が開始される。オーディオ・トラックは、音声データとリアルタイム文字情報（Real time Information = RTI）とから構成されるため、第１の分離器６１３においてそれぞれの情報に分離され、オーディオおよびＲＴＩバッファ１４、１５とオーディオおよびＲＴＩデコーダ１６、１７とを経由して出力される。
【００１５】
オーディオ・トラックの再生と同期して、ＡＳＶの再生が行われる。ＡＳＶ再生制御部６１８、ディスク製造者が定めたＡＳＶ再生手順またはユーザ操作によるＡＳＶ再生手順に従って、ＡＳＶＵバッファ６０３から特定のＡＳＶを読み出す。ＡＳＶＵバッファ６０３内の各ＡＳＶの位置は、あらかじめディスク６０１から読み出したＡＳＶアドレス・テーブルによって参照可能である。ＡＳＶＵバッファ６０３から読み出されたＡＳＶは、第２の分離器６０４においてスティルピクチャ、サブピクチャ、ハイライトの各情報に分離され、それぞれのバッファ６０６、６０７、６０８に格納された後、それぞれのデコーダ６０９、６１０、６１１によって再生される。ＡＳＶ再生制御部６１８は、これらのバッファおよびデコーダを制御し、適切な再生タイミングで各データが出力されるよう調整を行う。
【００１６】
【発明が解決しようとする課題】
ＤＶＤオーディオ規格において提案されている上述のモデルでは、オーディオ・トラックを再生する前に、ＡＳＶＵ全体をメモリ（ＡＳＶＵバッファ６０３）に格納しておくことが前提である。これは、既に述べたように、オーディオ・トラック上では主たるオーディオ情報とは物理的に離れた位置に存在しているＡＳＶ情報を、主たるオーディオ情報と同期して再生するための手法である。しかし、この従来の手法による場合には、再生中にＡＳＶ単位で読み出した後、再度データ種類別の再生用メモリに再び格納することになり、同一のＡＳＶデータに対してメモリを二重に利用するためメモリの利用効率が悪い。
【００１７】
実際の再生装置においては、これらのバッファは、それぞれが独立のメモリ素子として存在しているのではなく、１つのＤＲＡＭ素子内のアドレスを分割することによって複数の領域を設け、それぞれの領域を上述のバッファとして用いるのが通常である。その場合に、１つのメモリ素子内の領域間でデータ転送を行うと、転送中はこのメモリ素子を他の回路から利用できないため、システム全体のメモリ利用効率が下がり、システム全体としてのデータ処理量が低下する問題がある。
【００１８】
また、図６のターゲット・デコーダ・モデルの構成では、オーディオ・トラック用の第１の分離器６１３とＡＳＶ用の第２の分離器６０４とは、類似した回路構成を有するのであるが、両者は同時に動作する必要があるため、１つの回路を共有して用いることはできず、２つの回路を設けることが要求される。
【００１９】
本発明は、ＤＶＤオーディオ規格において提案されているモデルが有するこれらの問題を解決することを目的とする。本発明は、具体的には、ＡＳＶ情報が従来よりも効率的に管理され再生されるＤＶＤオーディオ再生装置を提供することを目的とする。
【００２０】
本発明によると、ＤＶＤオーディオ・ディスクから読み出され復調されたオーディオ・トラックとＡＳＶＵとを再生する際に、オーディオ・トラックに対応するＡＳＶＵを先行して読み出してバッファにいったん保持しておき、バッファから読み出されるＡＳＶ情報と再生されるオーディオ・トラックとを同期させて出力するＤＶＤオーディオ再生装置であって、ＡＳＶＵは、このＡＳＶＵを構成するデータの種類別に分離した状態でバッファに格納されるＤＶＤオーディオ再生装置が提供される。
【００２１】
更に、本発明によると、ＡＳＶＵを構成するデータの種類別に分離した状態でバッファに格納することによって、このバッファへの格納を分離（デマルチプレクス）回路の後段に移動させ、前記オーディオ・トラックに含まれる情報の分離と前記ＡＳＶＵに含まれるＡＳＶ情報の分離とを、１つの分離回路で行っているＤＶＤオーディオ再生装置が提供される。
【００２２】
【発明の実施の態様】
図７には、本発明によるＡＳＶＵ再生機構の構成が示されている。この新たな構成の要点は、図６のターゲット・デコーダ・モデルのＡＳＶＵバッファ６０３を分離器の後段に移動させ、ＡＳＶ入力バッファ７０５として一体化した点である。また、２つ設けられていた分離器６０４、６１３が不要になり、１つの分離器７０４として構成されている。
【００２３】
一体化されたＡＳＶ入力バッファ７０５には、ＡＳＶＵ内の全ＡＳＶがスティルピクチャ、サブピクチャ、ハイライトに分離された状態で格納される。図６に示した従来のＡＳＶ入力バッファ６０５は、再生前のＡＳＶ１個分のデータを格納するものであったが、本発明による図７のＡＳＶ入力バッファ７０５は、ＡＳＶＵ内の全ＡＳＶのデータを格納するため、従来のＡＳＶＵバッファ６０３と同様、２ＭＢの大きさを必要とする。
【００２４】
オーディオ・トラックが再生される際に、ＡＳＶ再生制御部７１８は、ＡＳＶ入力バッファ７０５内の各領域７０６、７０７、７０８から、指定されたＡＳＶを構成するスティルピクチャ、サブピクチャおよびハイライト情報を読み出し、各デコーダ７０９、７１０、７１１から再生する。この場合に、本発明によるこの構成によると、ディスク７０１から読み出されたＡＳＶデータは、ＡＳＶ入力バッファに一度だけ格納された後で再生されている。
【００２５】
図６に示した従来型のモデルでは、特定のＡＳＶをバッファから読み出するためには、ディスクから読み出したＡＳＶアドレス・テーブルをそのまま参照することでＡＳＶＵバッファ内の各ＡＳＶ位置を知ることが可能であった。これは、ＡＳＶアドレス・テーブルが、ＡＳＶＵの先頭アドレスから各ＡＳＶへの相対アドレスとして示されるためである。
【００２６】
これに対して図７の構成では、各ＡＳＶ内のデータは、分離器４によって分離された後で別々に保持されるため、あらかじめＡＳＶ内の各データの位置を記録しておく必要がある。ＡＳＶ再生制御部７１８は、分離後のＡＳＶデータをＡＳＶバッファ７０５内の各領域７０６、７０７、７０８に書き込む際に、各ＡＳＶのスティルピクチャ、サブピクチャおよびハイライトの記録アドレスを控えておき、アドレス・テーブルとして保持する。ＡＳＶ再生手順に従って特定のＡＳＶを再生する際には、ＡＳＶ再生制御部７１８は、アドレス・テーブルから、当該ＡＳＶを構成する各要素（スティルピクチャ、サブピクチャ、ハイライト）のアドレスを読み出し、各データを読み出して各デコーダに出力する。
【００２７】
この構成では、オーディオ・トラック分離とＡＳＶ分離とは別々の時間に行なわれるので、オーディオ用とＡＳＶ用とにそれぞれ分離器を用意する必要がなく、単一の分離器を共用することが可能となる。
【００２８】
図８には、本発明によるＡＳＶ再生機能を有するＤＶＤオーディオ再生装置８００の全体的な制御の態様が示されている。ＤＶＤオーディオ再生装置８００では、全体制御部８２３によって各部が制御されており、ＤＶＤオーディオ・ディスク８０１から読み出したオーディオおよびＡＳＶＵ情報を再生して、音声および映像信号として外部に出力している。
【００２９】
全体制御部８２３は、ユーザの「再生」、「停止」等のボタン等による操作に応答して、再生装置８００の各部の制御を行い、所望の動作を行わせる。一般に、全体制御部８２３は、マイクロコンピュータで実現する場合が多い。
【００３０】
ＤＶＤオーディオ・ディスク８０１には、主たる音声情報であるオーディオ・トラックと画像等のサブ情報であるＡＳＶとの他に、ディスクの種別を示す情報やディスクに収録されているオーディオ・トラックの開始／終了アドレス、各オーディオ・トラックとＡＳＶの対応を示す情報、ＡＳＶの再生タイミング情報など、制御用の情報が記録されている。これらの制御情報は、オーディオ・トラックの再生に先立って、または再生中の必要な時点でディスクから読み出す必要がある。
【００３１】
トラッキング／回転制御部８０３はディスクの回転速度やディスクから情報を読み出すピックアップの位置等を制御し、全体制御部８２３から指定されたアドレスのデータをＤＶＤディスク８０１から取り出す。エラー訂正／復調部８０２は、ＤＶＤディスク８０１から読み出したデータを受取り、ＤＶＤ規格で定められたフォーマットに従って、エラー訂正とデータの復調とを行う。全体制御部８２３はディスクからのデータ読み出しとエラー訂正との状況をモニタし、指定したアドレスのデータが復調されない場合や、訂正不可能なエラーが発生した場合には、トラッキング／回転制御部８０３とエラー訂正／復調部８０２を制御して再度読み出しを行う場合がある。
【００３２】
外部からの振動やノイズによって一時的な読み出しエラーが発生した場合は、読み出しを繰り返すことによって解決する場合もある。ディスクに傷や欠陥がある場合など、読み出しを複数回繰り返してもエラーが解決しない場合は、例えば、エラー箇所をスキップして適切な再生を行うなど、所定のエラー処理を行う。エラー訂正／復調部８０２から出力される復調後のデータは、切り替え器８２０、８２１とオーディオ・トラック・バッファ８１２とを経由して分離器８０４に入力される。切り替え器８２０、８２１は、オーディオ・トラック読み出し中は再生データがオーディオ・トラック・バッファ８１２を経由し、ＡＳＶ情報読み出し中はバッファ８１２を回避するように、全体制御部８２３によって制御される。オーディオ・トラック・バッファ８１２は、オーディオ・トラックの読み出し中に復調／エラー訂正部８０２から間欠的に供給されるデータを一時的に保持し、分離器８０４以降へのオーディオ・データ供給を円滑に行うために設ける。
【００３３】
オーディオ再生中に、ディスク読み出しエラーに起因する再読み出し等が生じてデータ供給が滞ると、再生音が途切れる等の問題が発生することがあるが、このオーディオ・トラック・バッファ８１２によって、データの連続供給が保証される。ＡＳＶ情報は一旦メモリに全て読み込み、メモリから再生を行うため、ディスクからのデータ転送を円滑に行うためのバッファは不要である。
【００３４】
次に、図９を参照すると、ディスク内の所定アドレスのデータを読み出して復調する手順を含む、図８のＤＶＤオーディオ再生装置における再生動作の各ステップが示されている。ユーザがＤＶＤオーディオ・ディスク８０１を再生装置に装着する（ステップ９０１）と、全体制御部８２３はディスク上の所定の位置に記録された制御情報を読み出し、再生可能なディスクであることを確認する（ステップ９０２）。次に、ディスク上の所定の位置に記録されている各トラックの開始／終了アドレス等の制御情報を読み出し、再生に必要な情報を自身のメモリ８２４に保持しておく（ステップ９０３）。この時点で、装着されたＤＶＤオーディオ・ディスクの再生準備が整い、ユーザによる再生のための操作を受け付けが可能となる。
【００３５】
ユーザがボタン操作等の手段によって「再生」の指示を出し、全体制御部８２３がこれを受け付けると、全体制御部８２３は再生すべきオーディオ・トラックに対応するＡＳＶＵの有無と、そのＡＳＶＵの位置とを調べる（ステップ９０４）。この判定にはディスク内の所定の場所の制御情報を用いるが、ディスク装着時にあらかじめ全トラックについて一括して行っておいてもよいし、各々のトラックごとにトラック再生直前に行ってもよい。
【００３６】
再生すべきオーディオ・トラックに対応するＡＳＶＵが存在する場合には、全体制御部８２３は、オーディオ・トラックの再生に先立って該当するＡＳＶＵをディスクから読み出す（ステップ９０５）。ＤＶＤディスク８０１から読み出され、復調されたＡＳＶＵは、切り替え器８２０、８２１によってオーディオ・トラック・バッファ８１２を回避して分離器８０４に入力される（ステップ９０６）。分離器８０４では、ＡＳＶＵ内の情報が、種類別にスティル・ピクチャ、サブピクチャおよびハイライトの３種類に分離され、ＡＳＶ入力バッファ８０５内に設けた各領域であるスティル・ピクチャ・バッファ８０６、サブピクチャ・バッファ８０７およびハイライト・バッファ８０８に格納される（ステップ９０７）。このとき、ＡＳＶ再生制御部８１８は、各バッファ８０６、８０７、８０８内の各ＡＳＶの位置を特定できる情報をアドレス・テーブルとして作成し、ＡＳＶアドレス・テーブル８１９に保持しておく。ＡＳＶ再生制御部はこのテーブルによって、分離された状態でＡＳＶＵ内の全ＡＳＶが保持されているＡＳＶ入力バッファ８０５から特定のＡＳＶを読み出し、再構築することができる。
【００３７】
このようにして再生すべきオーディオ・トラックに対応するＡＳＶＵの読み出し、分離、ＡＳＶ入力バッファ８０５への保持が終了すると、オーディオ・トラックの再生が開始される（ステップ９０８）。全体制御部８２３は、再生すべきオーディオ・トラックのディスク内のアドレスをメモリ８２４から取得して、ＤＶＤオーディオ・ディスク８０１からオーディオ・トラックを再生する。エラー訂正／復調されたオーディオ・データは、切り替え器８２０、８２１によってオーディオ・トラック・バッファを経由し、分離器８０４に入力される（ステップ９０９）。
【００３８】
分離器８０４では、オーディオ・トラックに含まれるオーディオ情報とリアルタイム・テキスト情報との２種類の情報が分離され（ステップ９１０）、各々のバッファ８１４、８１５を経由して、各々のデコーダ８１６、８１７から再生される（ステップ９１１）。ここで、オーディオ・バッファ９１４とＲＴＩバッファ９１５とは、各々のデコーダ８１６、８１７の処理単位によって必要とされるバッファである。各々のバッファ８１４、８１５からの読み出しタイミングと各々のデコーダ８１６、８１７の動作タイミングとは、オーディオ再生制御部８２２によって制御される。オーディオ・トラックの再生に伴って、あらかじめ全体制御部がディスクから制御情報として読み込んでおいたＡＳＶの再生順序と再生タイミングとに基づき、ＡＳＶ再生制御部８１８がＡＳＶバッファ８０５からＡＳＶＵ内の各ＡＳＶを再生していく。この時、ユーザ操作によって再生順とタイミングとを決定することもできる。
【００３９】
ＡＳＶ再生制御部８１８は、ＡＳＶアドレステーブル８１９を参照して、再生すべきＡＳＶをＡＳＶ入力バッファ８０５内の各バッファ領域８０６、８０７、８０８から読み出し、各デコーダ８０９、８１０、８１１に入力する。このとき、各デコーダ８０９、８１０、８１１の遅延を考慮し、最終的な画像出力が指定のタイミングで得られるように各バッファ８０６、８０７、８０８の読み出しと各デコーダ８０９、８１０、８１１の動作とを制御する必要がある。復号されたスティル・ピクチャ、サブピクチャおよびハイライト情報と、オーディオと同時に復号されたリアルタイムテキスト情報とは合成器８２４において１枚の画像として合成され、映像出力される。
【００４０】
図８では、全体制御部８２３、ＡＳＶ制御部８１８、オーディオ再生制御部８２２を別個のものとして示し、説明してきたが、これらは密接に連携動作するため、単体の制御部として置き換えてもよい。また必要があれば、制御部をさらに分割してもよい。
【００４１】
また、ここではオーディオと同時に復号化されたリアルタイム・テキスト情報をＡＳＶ情報と合成してひとつの映像出力を得る例を示したが、これらを別々の映像出力として出力してもよい。リアルタイム・テキスト情報は文字だけを含むので、文字表示専用のディスプレイを設けてもよい。
【００４２】
【発明の効果】
従来技術のように一度ＡＳＶＵバッファに格納された後にＡＳＶ入力バッファに格納されてから再生される手順と比較すると、本発明によれば、処理の簡略化と高速化が実現され、メモリの削減を図ることも可能である。すなわち、ＡＳＶＵ再生機能を保有するＤＶＤオーディオ再生装置において、従来は、ＡＳＶＵ全体を保持するメモリを設けた上で、ＡＳＶＵから分離したビデオ情報、サブピクチャ情報、ハイライト情報を各々保持するメモリを設けていたが、これらのメモリを共有化することができ、メモリ容量の削減による回路規模縮小と消費電力の低減とが可能である。
【００４３】
本発明によれば、メモリ容量の削減に加えて、メモリへのアクセス時間が削減できる。単一のメモリ素子内をアドレスによって領域分割し、各々のメモリ領域を複数の回路が時分割で利用する場合が一般的に考えられるが、その場合、メモリがＡＳＶ処理のために占有される時間は短縮され、ＡＳＶ以外の用途でメモリを使用可能な時間が増大する。このため、ＤＶＤ再生装置全体のデータ処理効率の向上が可能となり、より大量のデータを処理することができる。また、処理データ量を同一とする場合はメモリアクセス速度を低下させることができ、消費電力の削減が可能である。また、従来個別に設ける必要があったオーディオ情報用のビットストリーム分離器とＡＳＶＵ情報用のビットストリーム分離器を共有化でき、回路規模と消費電力を削減可能である。
【図面の簡単な説明】
【図１】ＡＳＶの１単位のデータ構成を示す
【図２】図１のＡＳＶの１単位を再生した画像の例を示す。
【図３】オーディオ・トラックとＡＳＶＵとの対応を示す。
【図４】ＡＳＶが、オーディオと同期して再生される態様を示す。
【図５】ＤＶＤディスク内のＡＳＶとオーディオ・トラックとの配置の例を示す。
【図６】ＤＶＤオーディオ規格において提案されているターゲット・デコーダ・モデルによるＡＳＶ再生の機構を示す。
【図７】本発明によるＡＳＶ再生の機構を示す。
【図８】本発明によるＡＳＶ再生機構を含むＤＶＤオーディオ再生装置の全体の概略を示す図である。
【図９】本発明によるＡＳＶ再生の手順を示す流れ図である。
【図１】
0004712922.tif 000002
【図２】
0004712922.tif 000003
【図３】
0004712922.tif 000004
【図４】
0004712922.tif 000005
【図５】
0004712922.tif 000006
【図６】
0004712922.tif 000007
【図７】
0004712922.tif 000008
【図８】
0004712922.tif 000009
【図９】
0004712922.tif 000010